(57)【要約】【課題】指先で蓋の係止を容易に解除して開けることができ、かつ、輸送や運搬、保管などの際の振動や衝撃では開きにくい梱包箱を提供することを目的とする。【解決手段】梱包箱１は、前面板から前方へと突出可能な差込片１８と、この差込片１８を嵌合孔２２に差し込んだ際に、差込片１８の先端部側と略垂直に立設した状態となっている爪部２１と、差込片１８を嵌合孔２２に差し込んで第２の切り欠き部１７ａ側に押圧した際に、差込片１８の一部が第２の切り欠き部１７ａ側に湾曲するように、第２の切り欠き部１７ａに対峙する位置に形成されたスリット１８ａを有している。第１の切り欠き部１６ａに指先をあてて、差込片１８のスリット１８ａを第２の切り欠き部１７ａ側へと押圧すると、差込片１８は、スリット１８ａを中心に第２の切り欠き部１７ａ側に湾曲する。【選択図】図５
2007039072.tif 000002
【特許請求の範囲】
【請求項１】
蓋板の辺端部に連設された舌部と、
前記蓋板を閉じた際に前記舌部を差し込み可能な係止溝を有する側板と、
前記側板の辺端部に連設され、前記蓋板と前記舌部とに跨って形成された嵌合孔に差し込まれる差込片とを備える梱包箱であって、
前記嵌合孔は、前記蓋板側に形成された第１の切り欠き部と、前記舌部側に形成され、前記舌部の先端側に向けて凸状に切り欠かれた第２の切り欠き部とを備え、
前記差込片は、前記嵌合孔に差し込まれて前記舌部側に押圧された際に、前記第２の切り欠き部側に湾曲するように、前記第２の切り欠き部に対峙する位置にスリットを有することを特徴とする梱包箱。
【請求項２】
前記スリットには、該スリットに交差する第２のスリットが形成されたことを特徴とする請求項１記載の梱包箱。
【請求項３】
前記差込片は、前記側板との連設部分である基端部に、前記嵌合孔に差し込まれた際に天面側に立設する爪部を有することを特徴とする請求項１または２記載の梱包箱。
【発明の詳細な説明】
【技術分野】
【０００１】
本発明は、各種商品、製品を収納し、輸送、運搬、保管、贈答用その他多くの用途に供される梱包箱に関する。
【背景技術】
【０００２】
商品や製品を収納し、輸送や運搬、保管を行ったり贈答用に使用したりする梱包箱において、一枚の紙板をそれぞれ折り曲げることによって形成されるものがある。例えば、矩形状の梱包箱の場合、一枚の紙板にそれぞれ、底板、前面板、背面板、右側板、左側板となる部分を形成し、さらに、背面板に蓋板となる部分を形成し、それぞれの折り線で折り曲げると、蓋付きの箱体を形成することができる。
【０００３】
このような紙製の折り曲げ式の梱包箱においては、輸送や運搬、保管などの際に振動や衝撃で蓋板が開かないように、蓋板を係止する構成が必要となる。例えば、（特許文献１）には、梱包箱ではないが、紙製の板材を折り曲げて物品を収納する側の本体とこの本体の蓋部となる蓋面部を形成し、蓋面部の一端に形成された挿入部を本体側に形成されたスリットに挿入して、蓋面部を本体に掛け止める構成が記載されている。
【０００４】
これとは別に、図７に示すような従来の矩形状の梱包箱がある。図７は従来の梱包箱を示す斜視図を示す。
【０００５】
図７に示すように、梱包箱３０は、一枚の紙板を折り曲げて形成されたものであり、蓋板３１は、辺端部に指が挿入可能となるように形成された第１の切り欠き３２と、この第１の切り欠き３２を含めた辺端部に連設され、辺端部から折り曲げた状態で前面板３３の上端部に形成された係止溝３４に差し込まれる舌部３５と、この舌部３５であって第１の切り欠き３２と対向する位置に形成された第２の切り欠き３６とを備えている。また、前面板３３は、辺端部に連設され、辺端部から折り曲げた状態で、蓋板３１の舌部３５が係止溝３４に差し込まれた際に第１の切り欠き３２と第２の切り欠き３６とにより生じる嵌合孔３７に差し込む差込片３８を有している。
【０００６】
蓋板３１の舌部３５を係止溝３４に差し込み、そしてさらに、前面板３３の差込片３８を嵌合孔３７に差し込むことにより、蓋板３１は完全に係止された状態となり、輸送や運搬、保管などの際に振動や衝撃で蓋板３１が開きにくい構造となっている。
【特許文献１】実用新案登録第３０７９０７７号公報
【発明の開示】
【発明が解決しようとする課題】
【０００７】
しかしながら、従来の梱包箱３０においては、蓋板３１の係止を解除するために、指先を第１の切り欠き３２に挿入して差込片３８を手前側に引き出そうとしても、差込片３８が平板状になっているため差込片３８上を指が滑ってしまい、差込片３８が引き抜きにくい構造となっていた。
【０００８】
そこで、本発明は、指先で蓋の係止を容易に解除して開けることができ、かつ、輸送や運搬、保管などの際の振動や衝撃では開きにくい梱包箱を提供することを目的とする。
【課題を解決するための手段】
【０００９】
本発明の梱包箱は、蓋板の辺端部に連設された舌部と、前記蓋板を閉じた際に前記舌部を差し込み可能な係止溝を有する側板と、前記側板の辺端部に連設され、前記蓋板と前記舌部とに跨って形成された嵌合孔に差し込まれる差込片とを備える梱包箱であって、前記嵌合孔は、前記蓋板側に形成された第１の切り欠き部と、前記舌部側に形成され、前記舌部の先端側に向けて凸状に切り欠かれた第２の切り欠き部とを備え、前記差込片は、前記嵌合孔に差し込まれて前記舌部側に押圧された際に、前記第２の切り欠き部側に湾曲するように、前記第２の切り欠き部に対峙する位置にスリットを有することを特徴とする。
【発明の効果】
【００１０】
本発明によれば、蓋板の舌部を係止溝に差し込み、側板の差込片を嵌合孔に差し込むことにより蓋板を係止することができるので、輸送や運搬、保管などの際の振動や衝撃では蓋板は容易に開きにくいが、差込片の、第２の切り欠き部に対峙する位置に形成されたスリット部分を押圧して差込片の一部を第２の切り欠き部側に湾曲させると、この部分に指先を引っ掛けながら力を加えて差込片を引き抜くことができるので、容易に梱包箱を開けることができる。
【発明を実施するための最良の形態】
【００１１】
本発明の請求項１の発明は、蓋板の辺端部に連設された舌部と、蓋板を閉じた際に舌部を差し込み可能な係止溝を有する側板と、側板の辺端部に連設され、蓋板と舌部とに跨って形成された嵌合孔に差し込まれる差込片とを備える梱包箱であって、嵌合孔は、蓋板側に形成された第１の切り欠き部と、舌部側に形成され、舌部の先端側に向けて凸状に切り欠かれた第２の切り欠き部とを備え、差込片は、嵌合孔に差し込まれて舌部側に押圧された際に、第２の切り欠き部側に湾曲するように、第２の切り欠き部に対峙する位置にスリットを有することを特徴とする。
【００１２】
蓋板を閉じた際に、蓋板の舌部を辺端部から折り曲げて、側板の上端部に形成された係止溝に差し込み、さらに、側板の差込片を、蓋板と舌部とに跨って形成された嵌合孔に差し込むことにより、蓋板は完全に係止されて固定される。このとき、差込片は、蓋板の第１の切り欠き部に面する部分が外側に露出し、この差込片の下部には、舌部の第２の切り欠き部が対峙した状態となっている。また、第２の切り欠き部が舌部の先端側に向けて凸状に形成されたことにより、差込片と舌部との間にはわずかに隙間が形成されている。この状態から、蓋板の係止を解除するためには、まず、蓋板に形成された第１の切り欠き部に指先をあてて、差込片の、第２の切り欠き部に対峙する位置に形成されたスリット部分を押圧する。差込片と舌部との間には隙間があるので、差込片は、スリットを中心に第２の切り欠き部側に湾曲する。このようにして差込片を湾曲させることにより、この湾曲した部分に指先を引っ掛けながら力を加えることができ、この状態でさらに差込片の引き抜き側に力を加えることにより、差込片を嵌合孔から引き抜くことができる。よって、本発明によれば、輸送や運搬、保管などの際の振動や衝撃では開きにくいが、指先に力を加えることにより、指先が差込片上を滑ることなく、差込片を嵌合孔から引き抜くことができ、容易に開けることが可能な梱包箱とすることができる。なお、凸状とは、スリットが形成された部分の差込片と舌部との間に隙間を形成することが可能な形状であればどのような形状でもよく、円弧状であってもＶ字状であってもよい。
【００１３】
本発明の請求項２の発明は、本発明の請求項１の発明において、スリットには、このスリットに交差する第２のスリットが形成されたことを特徴とする。
【００１４】
スリットに交差する第２のスリットが形成されたことにより、スリット周辺の差込片はスリットの交差部分を中心にさらに湾曲しやすい状態となるので、より指先を引っ掛けやすくすることができ、差込片を嵌合孔からさらに容易に引き抜くことができる。ここで、交差とは、第２のスリットが差込片に形成されたスリットと接点を持つように交わることを言い、Ｔ字状に交差するものも含む。
【００１５】
本発明の請求項３の発明は、本発明の請求項１の発明または本願の第２の発明において、差込片は、側板との連設部分である基端部に、嵌合孔に差し込まれた際に天面側に立設する爪部を有することを特徴とする。
【００１６】
側板が、辺端部であって、第１の切り欠き部と対向する位置に天面側に立設する爪部を有することにより、指先の一部がこの爪部に係止されるので、指先を第１の切り欠き部にあてて、差込片を引き抜くための力を加えた際に、指先が差込片上を滑ってしまうことをさらに防止することができる。
【００１７】
（実施の形態）
以下、図面を用いて、本発明の実施の形態における梱包箱を詳細に説明する。図１は、本実施の形態における梱包箱の斜視図、図２は、本実施の形態における梱包箱の展開図である。
【００１８】
図１に示すように、本実施の形態における梱包箱１は、直方体状であり、穴あき加工や切り込み加工がなされた一枚の紙板をそれぞれ折り曲げることによって形成される組立式の箱体である。そこでまず、図２を用いて、本実施の形態における梱包箱１の展開図を説明する。
【００１９】
図２に示すように、本実施の形態の梱包箱１を構成するための紙板材２は、長方形に形成された底板１０のそれぞれの辺端部に、右側板１１、左側板１２、前面板を形成するための外側前面板１４、ならびに背面板１５とが連設され、外側前面板１４には、この外側前面板１４とともに前面板を形成する内側前面板１３が、また、背面板１５には、右側板１１、左側板１２、前面板、背面板をそれぞれ折り曲げて立設することにより形成される矩形状の開口上端を覆う蓋板１６が連設された一枚板となっている。
【００２０】
底板１０には、外側前面板１４が連設する辺端部に、後述する内側前面板１３の係止片１３ａを差し込んで固定するための固定孔１０ａが形成されている。
【００２１】
右側板１１は、この右側板１１が連設された底板１０の辺端部に直交する辺端部のそれぞれに、梱包箱１として組み立てた際に、内側前面板１３と外側前面板１４との間に挿入されることにより前面板を支持して梱包箱１の強度を高める補強部１１ａと、背面板１５を支持して梱包箱１の強度を高める補強部１１ｂとを有している。また、右側板１１は、もう１つの辺端部に、梱包箱１として組み立てた際に、蓋板１６を支持して梱包箱１の強度を高める右側蓋板支持部１１ｃを有している。なお、左側板１２も同様に、補強部１２ａ，１２ｂと左側蓋板支持部１２ｃとを有している。
【００２２】
蓋板１６は、先端側の辺端部に指先が挿入可能となるように形成された第１の切り欠き部１６ａを有している。この第１の切り欠き部１６ａは、蓋板１６の長辺のほぼ中央に形成された円弧状の切り欠きである。第１の切り欠き部は、指先が挿入可能であれば円弧状に限らず、矩形状であったり三角形上であったり、どのような形状であってもよい。
【００２３】
蓋板１６の先端側の辺端部であって、第１の切り欠き部１６ａを含む辺端部には、梱包箱１として組み立てた際に、この辺端部から折り曲げた状態で、後述する前面板の係止溝に差し込まれる舌部１７が連設されている。
【００２４】
舌部１７は、第１の切り欠き部１６ａと対向する位置に、円弧状に切り欠いて形成された第２の切り欠き部１７ａを有している。また、舌部１７には、第２の切り欠き部１７ａからそれぞれ両側に延伸する切り込み１７ｂ，１７ｃが形成されている。この切り込み１７ｂ，１７ｃは、途中で蓋板１６側に略直角に折れ曲がり、蓋板１６の辺端部から舌部１７を折り曲げる際の折り曲げ線１６ｂ，１６ｃに当接する位置まで形成されている。
【００２５】
このように蓋板１６に第１の切り欠き部１６ａと舌部１７に第２の切り欠き部１７ａと切り込み１７ｂ，１７ｃを形成したことにより、梱包箱１として組み立てる際に、蓋板１６の折り曲げ線１６ｂ，１６ｃから舌部１７を略直角に折り曲げると、蓋板１６と舌部１７との間に、後述する前面板の差込片１８が差し込まれる嵌合孔が形成される。
【００２６】
前面板は、底板１０の辺端部に連設された外側前面板１４とこの外側前面板１４の辺端部に接続部１９を介して連設された内側前面板１３とを、第１折り曲げ線１９ａ、第２折り曲げ線１９ｂの順に折り曲げることにより２重構造に構成される。
【００２７】
内側前面板１３の先端側の辺端部には、内側前面板１３を外側前面板１４側に折り曲げた際に、底板１０の固定孔１０ａに差し込んで、内側前面板１３と外側前面板１４とによる２重構造を固定するための係止片１３ａが形成されている。
【００２８】
梱包箱１として組み立てた際に、蓋板１６と舌部１７との間に形成される嵌合孔に差し込まれる差込片１８は、内側前面板１３と接続部１９と外側前面板１４とに跨った状態で平面視略Ｕ字状に切り欠いて形成されている。また、差込片１８には、梱包箱１として組み立てた際に、前面板の辺端部から天面側に立設する爪部２１となる、平面視略Ｕ字状の切りこみ１８ｂが差込片１８の中央部分に形成されており、その切り込み１８ｂの中心から略垂直に延伸されたスリット１８ａが形成されており、このスリット１８ａは、梱包箱１として組み立て、差込片１８を嵌合孔に差し込んだ際に、第２の切り欠き部１７ａに対峙し、また、第２の切り欠き部１７ａに対しても略垂直となるように形成されている。なお、切り込み１８ｂは、スリット１８ａに交差する第２のスリットとしても機能している。
【００２９】
差込片１８は、梱包箱１として組み立て際には、差込片１８の基端部となる位置に先端部と略平行に形成された折り曲げ線１８ｃと、切り込み１８ｂの両端からそれぞれ先端部と略平行に形成された折り曲げ線１８ｄ，１８ｅとにより２段階に折り曲げられて嵌合孔に差し込まれる。
【００３０】
接続部１９には、差込片１８の両側となる位置に、梱包箱１として組み立て際に、蓋板１６の舌部１７を差し込むための係止溝となる孔部２０ａ，２０ｂが形成されている。
【００３１】
以上のように構成される紙板材２を折り曲げて、本実施の形態における梱包箱１を組み立てる工程を図３〜図５に基づき説明する。図３は、本実施の形態における梱包箱１の組み立ての様子を示す図であり、前面板、右側板１１、左側板１２、背面板１５を立設した状態を示す図であり、図４は、本実施の形態における梱包箱１の組み立ての様子を示す図であり、蓋板１６を閉じた状態を示す図、図５は、本実施の形態における梱包箱１の組み立ての様子を示す図である。
【００３２】
図２および図３に示すように、まず、右側板１１と左側板１２とを折り曲げて立設し、それぞれの板材の両端に連設されている補強部１１ａ，１１ｂ，１２ａ，１２ｂを箱体内側へと折り曲げる。そして、内側前面板１３および外側前面板１４を、第１折り曲げ線１９ａで折り曲げ、補強部１１ａおよび補強部１２ａを挟んだ状態でさらに第２折り曲げ線１９ｂで折り曲げた後、内側前面板１３の係止片１３ａを固定孔１０ａに差し込む。これにより、２重板構造の前面板が形成される。最後に背面板１５を折り曲げて立設することによって、製品や商品を収納するための箱体の開口が形成される。
【００３３】
このとき、図３に示すように、内側前面板１３および外側前面板１４に跨って形成された差込片１８は、折り曲げ線１８ｃから前方へと折り曲げることによって、前面板から前方へ突出可能な状態となっている。また、前面板の上端部には、接続部１９に形成された孔部２０ａ，２０ｂ、および、差込片１８を内側前面板１３および外側前面板１４に跨って切り欠いたことにより、蓋板１６の舌部１７を差し込むための係止溝２０が形成されている。
【００３４】
次に、図２および図４に示すように、右側板１１および左側板１２の蓋板支持部１１ｃ，１２ｃを箱体の開口側に折り曲げ、この蓋板支持部１１ｃ，１２ｃの上面に蓋板１６を沿わせて箱体の開口を覆うように折り曲げる。そして、蓋板１６の舌部１７を折り曲げ線１６ｂ，１６ｃで折り曲げて、舌部１７を係止溝２０に差し込む。すると、第２の切り欠き部１７ａの両端からそれぞれ両側に延伸する切り込み１７ｂ，１７ｃが、途中で蓋板１６側に略直角に折れ曲がって折り曲げ線１６ｂ，１６ｃに当接する位置まで形成されていることにより、また、蓋板１６の第１の切り欠き部１６ａと、舌部１７の第２の切り欠き部１７ａとが対向する位置に形成されたことにより、前面板の差込片１８を差し込むための嵌合孔２２が生じることとなる。
【００３５】
次に、差込片１８を嵌合孔２２に差し込んで蓋板を係止する。差込片１８は、図２および図５（ａ）に示すように、差込片１８の基端部となる位置に先端部と略平行に形成された折り曲げ線１８ｃと切り込み１８ｂの両端からそれぞれ先端部と略平行に形成された折り曲げ線１８ｄ，１８ｅとにより、断面く字状に折り曲げ可能となる。このように断面く字状に折り曲げることによって、差込片１８のほぼ中央部に形成された切り込み１８ｂによって爪部２１は差込片１８の先端部側と略垂直に立設した状態となり、スリット１８ａとの間に爪部２１の幅の分だけ溝２３が生じることとなる。
【００３６】
次に、差込片１８の先端部を嵌合孔２２に挿入し、爪部２１が形成されている折り曲げ部付近を嵌合孔２２側に押圧することにより、差込片１８は完全に嵌合孔２２に差し込まれる。このとき、図５（ｂ）に示すように、爪部２１は、蓋板１６の第１の切り欠き部１６ａと対向する位置に配置され、前面板の辺端部から天面側に立設した状態となる。また、図５（ｃ）に示すように、スリット１８ａは、舌部１７の第２の切り欠き部１７ａと略垂直に対峙した状態となっている。なお、第２の切り欠き部１７ａが舌部１７の先端側に向けて円弧状に湾曲していることにより、差込片１８と第２の切り欠き部１７ａとの間には隙間が形成されている。
【００３７】
このように、舌部１７を係止溝２０に差し込み、さらに、差込片１８を嵌合孔２２に差し込むことにより、梱包箱１の蓋板１６は完全に箱体の開口上端に係止されるので、輸送や運搬、保管などの際の振動や衝撃で梱包箱１が開いて、中に収容した商品等が飛び出すことを防止することができる。
【００３８】
次に、梱包箱１を開ける方法について図６に基づいて説明する。図６は、本実施の形態における梱包箱１を開ける様子を示す図である。
【００３９】
図６（ａ）に示すように、梱包箱１を開ける際には、まず、親指の指先を第１の切り欠き部１６ａにあてる。このとき、親指の腹の部分は、爪部２１に当接し、爪先が差込片１８のスリット１８ａの周縁部に当たった状態となっている。この状態で指先に力を加え、スリット１８ａを下側に押圧する。スリット１８ａの端部には、略垂直に形成された爪部２１の幅だけの溝があり、また、差込片１８のスリット１８ａの下方には、舌部１７の第２の切り欠き部１７ａが対峙しており、差込片１８と第２の切り欠き部１７ａとの間には隙間があることから、スリット１８ａの周縁部は、このスリット１８ａを境に分割され、第２の切り欠き部１７ａ側に湾曲した状態となる（図６（ｂ）参照）。そして、この状態でさらに手前側に力を加えることにより、差込片１８は嵌合孔２２から引き出される。このとき、スリット１８ａが湾曲した部分に爪先が引っ掛かり、さらに、指先の腹は、爪部２１に当接しているので、手前側に力を加えても、指先が差込片１８上を滑ることなく差込片１８を引き出すことができる。
【００４０】
以上のように、本実施の形態における梱包箱１によれば、指先で蓋の係止を容易に解除して開けることができ、かつ、輸送や運搬、保管などの際の振動や衝撃では開きにくい梱包箱１とすることができる。
【００４１】
なお、本実施の形態においては、第２の切り欠き部１７ａは、舌部１７の先端側に向けて円弧状に湾曲した形状となっているが、これに限らず、スリット１８ａが形成された部分の差込片１８と舌部１７との間に隙間を形成することが可能な形状であればどのような形状でもよく、Ｖ字状であっても階段状であってもよい。
【００４２】
また、本実施の形態においては、爪部２１を形成するために、スリット１８ａの端部に直交して形成された切り込み１８ｂが第２のスリットとしても機能したが、これに限らず、スリット１８ａの中心部分に交差する切り込みをさらに形成して、これを第２のスリットとすることもできる。これにより、差込片は、スリット同士の交差部分を中心にさらに湾曲しやすい状態となるので、より指先を引っ掛けやすくすることができ、差込片を嵌合孔からさらに容易に引き抜くことができる。
【産業上の利用可能性】
【００４３】
本発明の梱包箱は、指先で蓋の係止を容易に解除して開けることができ、かつ、輸送や運搬、保管などの際の振動や衝撃では開きにくい梱包箱として有用である。
【図面の簡単な説明】
【００４４】
【図１】本実施の形態における梱包箱の斜視図
【図２】本実施の形態における梱包箱の展開図
【図３】本実施の形態における梱包箱の組み立ての様子を示す図であり、前面板、右側板、左側板、背面板を立設した状態を示す図
【図４】本実施の形態における梱包箱の組み立ての様子を示す図であり、蓋板を閉じた状態を示す図
【図５】本実施の形態における梱包箱の組み立ての様子を示す図
【図６】本実施の形態における梱包箱を開ける様子を示す図
【図７】従来の梱包箱を示す斜視図
【符号の説明】
【００４５】
１    梱包箱
２    紙板材
１０    底板
１０ａ    固定孔
１１    右側板
１１ａ，１１ｂ，１２ａ，１２ｂ    補強部
１１ｃ，１２ｃ    蓋板支持部
１２    左側板
１３    内側前面板
１３ａ    係止片
１４    外側前面板
１５    背面板
１６    蓋板
１６ａ    第１の切り欠き部
１６ｂ，１６ｃ    折り曲げ線
１７    舌部
１７ａ    第２の切り欠き部
１７ｂ，１７ｃ    切り込み
１８    差込片
１８ａ    スリット
１８ｂ    切り込み
１８ｃ，１８ｄ，１８ｅ    折り曲げ線
１９    接続部
１９ａ，１９ｂ    折り曲げ線
２０    係止溝
２０ａ，２０ｂ    孔部
２１    爪部
２２    嵌合孔
２３    溝
【図１】
2007039072.tif 000003
【図２】
2007039072.tif 000004
【図３】
2007039072.tif 000005
【図４】
2007039072.tif 000006
【図５】
2007039072.tif 000007
【図６】
2007039072.tif 000008
【図７】
2007039072.tif 000009